(57)【要約】【課題】屋内への突出量を抑えることで薄形化を確保し、デザイン性に優れ、取り付けスペースも狭くて足り、しかも空間の明るさ感を十分に確保できる照明装置を提供する。【解決手段】平板状の基板１２の表面上にＬＥＤ１５，１６を配置しているので、薄い照明装置とできる。又、ＬＥＤ１６から出射され外周面１７ｂで反射した光線のうち最も強度が高い光線と、天井面ＣＬの垂直方向とのなす角度θは、９０度〜１８０度であるので、同じ基板上にＬＥＤ１５，１６を配置しているにもかかわらず、下方への照明と、天井面ＣＬへの照明を両立でき、空間の明るさ感を確保できる。【選択図】図４
2014229534.tif 000002
【特許請求の範囲】
【請求項１】
取付面側に裏面を向けて取り付けられる基板と、
前記基板の表面上に配置された第１の光源及び第２の光源と、
前記第２の光源から出射された光線の向きを変える光路偏向手段とを有し、
前記第１の光源から出射された光線のうち最も強度が高い光線と、前記光路偏向手段により向きを変えられた前記第２の光源から出射された光線のうち最も強度が高い光線とのなす角度は、９０度〜１８０度であることを特徴とする照明装置。
【請求項２】
前記基板は略円形状であって、前記第１の光源は前記基板の中央領域に配置され、前記第２の光源は前記基板の周縁領域に配置されていることを特徴とする請求項１に記載の照明装置。
【請求項３】
前記第１の光源と前記第２の光源は、前記取付面に対して垂直方向に、最も強度が高い光線を出射することを特徴とする請求項１又は２に記載の照明装置。
【請求項４】
前記第１の光源は、前記取付面に対して垂直方向に、最も強度が高い光線を出射し、前記第２の光源は、前記取付面の法線に対して傾いた方向に、最も強度が高い光線を出射することを特徴とする請求項１又は２に記載の照明装置。
【請求項５】
前記第２の光源から出射された光線は、前記光路偏向手段により向きを変えられた後、円管状のカバーを透過することを特徴とする請求項１〜４のいずれかに記載の照明装置。
【請求項６】
前記カバーは拡散構造を有することを特徴とする請求項５に記載の照明装置。
【請求項７】
前記光路偏向手段が、前記第１の光源と前記第２の光源とを空間的に分割していることを特徴とする請求項１〜５のいずれかに記載の照明装置。
【請求項８】
前記光路偏向手段は、前記照明装置の外装部を兼ねることを特徴とする請求項１〜７のいずれかに記載の照明装置。
【請求項９】
前記光路偏向手段と前記基板との当接部に貫通孔を有し、前記貫通孔にネジを挿入することで照明装置を取付面へ固定することを特徴とする請求項１〜８のいずれかに記載の照明装置。
【請求項１０】
前記ネジは、着脱可能な拡散カバーにて覆われることを特徴とする請求項９に記載の照明装置。
【請求項１１】
前記基板の表面に電源回路部を有し、前記基板の裏面に交流電源線を接続する端子台が設けられていることを特徴とする請求項１〜１０のいずれかに記載の照明装置。
【発明の詳細な説明】
【技術分野】
【０００１】
本発明は、照明装置に関し、例えば、住宅や店舗等の空間演出で使用される照明器具に用いられると好適な照明装置に関する。
【背景技術】
【０００２】
従来から使用されている屋内全体を照明する装置としては、光源を吊り下げるペンダント方式や、光源を天井に取り付けるシーリング方式などがある。ここで、特許文献１に示すようなシーリング方式の照明装置の場合、屋内デザインの自由度を確保し、且つ屋内空間を有効に使用するために、なるべく薄形にすることが望まれている。そこで、シーリング方式の一タイプとして、光源を天井面より奥側に配置することで、屋内空間への突出をなるべく避けるようなダウンライトが開発された。
【０００３】
しかしながら、ダウンライトは光源を天井面より奥側に配置しているため、光源から出射された光線の指向性が高まり、ダウンライト直下は明るいが、天井面や壁面を十分に明るく照明することができないという問題がある。
【０００４】
近年、人間工学的に屋内照明をとらえたとき、実際の照度が同じでも、人間が居住する空間の明るさを感じる度合いが大きく異なる場合があることが分かってきた。より具体的には、人間がいる周囲の天井面や壁面を適度に照明することで、実際の直下照度が低くても人間は空間をより明るいと感じるのである。これを、「空間の明るさ感」と表現する。よって、ダウンライトでは照度が十分であっても、屋内照明としては使用しにくい場合がある。又、特許文献１の照明装置でも、光源から出射した光線が天井面に回り込む量が比較的少ないため、空間の明るさ感を十分に確保できているとは言いがたい。
【０００５】
これに対し特許文献２には、天井に取り付ける照明装置であって、外向きに配置した回路基板上に上下２列にＬＥＤを配置して、一方のＬＥＤで下方空間を照明し、他方のＬＥＤで天井面を照明するものが開示されている。かかる照明装置によれば、空間の明るさ感を高めることができる。
【先行技術文献】
【特許文献】
【０００６】
【特許文献１】特開2012-256447号公報
【特許文献２】特開2012-174528号公報
【発明の概要】
【発明が解決しようとする課題】
【０００７】
しかしながら、特許文献２の照明装置の場合、２つの回路基板を対向配置しているので、少なくとも回路基板の幅以上に屋内に突出した構成になるから、照明装置のデザイン性が損なわれるという問題がある。特に、現在のＬＥＤで十分な光量を確保するには、ＬＥＤの数を増やす必要があり、それに応じて回路基板が大型化してしまうため、これにより照明装置の大型化を招き問題である。
【０００８】
本発明は、上記の事情に鑑みてなされたものであって、屋内への突出量を抑えることで薄形化を確保し、デザイン性に優れ、取り付けスペースも狭くて足り、しかも空間の明るさ感を十分に確保できる照明装置を提供することを目的とする。
【課題を解決するための手段】
【０００９】
請求項１に記載の照明装置は、
取付面側に裏面を向けて取り付けられる基板と、
前記基板の表面上に配置された第１の光源及び第２の光源と、
前記第２の光源から出射された光線の向きを変える光路偏向手段とを有し、
前記第１の光源から出射された光線のうち最も強度が高い光線と、前記光路偏向手段により向きを変えられた前記第２の光源から出射された光線のうち最も強度が高い光線とのなす角度は、９０度〜１８０度であることを特徴とする。
【００１０】
本発明によれば、前記基板の表面上に第１の光源及び第２の光源を配置しているので、薄い照明装置とできる。又、前記第１の光源から出射された光線のうち最も強度が高い光線と、前記光路偏向手段により向きを変えられた前記第２の光源から出射された光線のうち最も強度が高い光線とのなす角度は、９０度〜１８０度であるので、同じ基板上に前記第１の光源及び前記第２の光源を配置しているにもかかわらず、下方への照明と、天井面等への照明を両立でき、空間の明るさ感を確保できる。
【００１１】
請求項２に記載の照明装置は、請求項１に記載の発明において、前記基板は略円形状であって、前記第１の光源は前記基板の中央領域に配置され、前記第２の光源は前記基板の周縁領域に配置されていることを特徴とする。
【００１２】
これにより、前記第１の光源からの光線を用いて下方の照明を行い、前記第２の光源からの光線を用いて天井面等への照明を行いやすいので好ましい。
【００１３】
請求項３に記載の照明装置は、請求項１又は２に記載の発明において、前記第１の光源と前記第２の光源は、前記取付面に対して垂直方向に、最も強度が高い光線を出射することを特徴とする。
【００１４】
これにより、前記第１の光源と前記第２の光源として共通のものを用いることが出来、コスト低減を図れる。
【００１５】
請求項４に記載の照明装置は、請求項１又は２に記載の発明において、前記第１の光源は、前記取付面に対して垂直方向に、最も強度が高い光線を出射し、前記第２の光源は、前記取付面の法線に対して傾いた方向に、最も強度が高い光線を出射することを特徴とする。
【００１６】
これにより、前記第２の光源から出射された光線の配光の自由度が高まり、デザイン的に優れた照明を実現できる。
【００１７】
請求項５に記載の照明装置は、請求項１〜４のいずれかに記載の発明において、前記第２の光源から出射された光線は、前記光路偏向手段により向きを変えられた後、円管状のカバーを透過することを特徴とする。
【００１８】
円管状のカバーを使用することで、前記第２の光源からの光を遮る不透明構造部を設けることなく前記第２の光源を保護することができる。又、前記第２の光源に塵埃や虫などがつきにくくなる。なお前記円環状のカバーの上下面の少なくとも一方に弾性部材を設けることで、前記円環状のカバーを隙間なく組み込むことができる。
【００１９】
請求項６に記載の照明装置は、請求項５に記載の発明において、前記カバーは拡散構造を有することを特徴とする。
【００２０】
前記カバーに拡散構造を設けることで、例えば前記第２の光源としてＬＥＤなどを用いた場合など、その発光点が輝点として視認されやすい、いわゆる光源の粒状感を和らげることができる。
【００２１】
請求項７に記載の照明装置は、請求項１〜６のいずれかに記載の発明において、前記光路偏向手段が、前記第１の光源と前記第２の光源とを空間的に分割していることを特徴とする。
【００２２】
例えば、照明装置直下の照明を、比較的色温度が高い白色光を用いることで作業性を高め、同時に天井面の照明を、より色温度が低い光を用いることで癒やし効果を高めることができる。このため、前記第１の光源と前記第２の光源の出射光線の波長を変えることがあるが、双方の光が混ざらないように、前記第１の光源と前記第２の光源とを空間的に分割することが望まれる。かかる場合、空間分割の仕切りとして前記光路偏向手段を用いれば、照明装置の構成を簡素化し低コスト化できる。
【００２３】
請求項８に記載の照明装置は、請求項１〜７のいずれかに記載の発明において、前記光路偏向手段は、前記照明装置の外装部を兼ねることを特徴とする。
【００２４】
これにより照明装置の構成を簡素化し低コスト化できる。
【００２５】
請求項９に記載の照明装置は、請求項１〜８のいずれかに記載の発明において、前記光路偏向手段と前記基板との当接部に貫通孔を有し、前記貫通孔にネジを挿入することで照明装置を取付面へ固定することを特徴とする。
【００２６】
これにより取付用のネジが照明光の光路を遮ることなく照明装置を固定することができる。
【００２７】
請求項１０に記載の照明装置は、請求項９に記載の発明において、前記ネジは、着脱可能な拡散カバーにて覆われることを特徴とする。
【００２８】
これにより、前記ネジを外部から視認しにくいので、デザイン性が高まる。
【００２９】
請求項１１に記載の照明装置は、請求項１〜１０のいずれかに記載の発明において、前記基板の表面に電源回路部を有し、前記基板の裏面に交流電源線を接続する端子台が設けられていることを特徴とする。
【００３０】
これにより、前記照明装置を照明可能に天井面等に取り付けることができる。
【発明の効果】
【００３１】
本発明によれば、屋内への突出量を抑えることで薄形化を確保し、デザイン性に優れ、取り付けスペースも狭くて足り、しかも空間の明るさ感を十分に確保できる照明装置を提供することができる。
【図面の簡単な説明】
【００３２】
【図１】照明装置１０を半割した状態で示す断面斜視図である。
【図２】図１の構成をII-II線で切断して矢印方向に見た図である。
【図３】円管状のカバーの斜視図である。
【図４】照明装置１０の一部断面図である。
【図５】本実施の形態の変形例を示す図４と同様な断面図である。
【図６】本実施の形態の変形例を示す図４と同様な断面図である。
【図７】本実施の形態の変形例を示す図４と同様な断面図である。
【発明を実施するための形態】
【００３３】
以下に本発明の実施形態を、図面を参照して説明する。図１は、照明装置１０を半割した状態で示す断面斜視図である。図２は、図１の構成をII-II線で切断して矢印方向に見た図である。
【００３４】
図１において、取り付け開口ＣＬａを有する天井面（取付面）ＣＬに、ベース板１１が配置されている。ベース板１１は、中央に開口１１ａを有し、又中央から離れた位置に、木ネジを挿通する孔１１ｂを有する。ベース板１１の下面には、基板１２の背面（裏面）が密着配置されている。基板１２の背面におけるベース板１１の開口１１ａ内には、端子台１３が取り付けられ、天井面ＣＬの取り付け開口ＣＬａ内に位置するように配置されている。端子台１３は、電灯線（交流電源線）１４に接続されることで基板１２に給電を行うものである。
【００３５】
図２において、円盤状の基板１２の表面中央には、第１の光源としてのＬＥＤ１５が配置されている。一方、基板１２の表面周辺には、第２の光源としてのＬＥＤ１６が円周方向に並べられている。図２においてハッチングで示す領域は、反射構造体１７の取り付け面である。尚、ＣＤはＬＥＤ１５，１６の点等に必要な電源回路を構成するコンデンサである。その他、必要な電子部品を設けて良い。
【００３６】
図１において、光路偏向手段である樹脂製の反射構造体１７は略環状であって外装部を兼ねており、円筒状の内周面１７ａと、基板１２から離れるにつれて径方向外方に向かうテーパ状の外周面１７ｂとを有する。外周面１７ｂは反射面であって、例えば白色塗装もしくは反射膜が蒸着されている。内周面１７ａも同様な構成として良い。外周面１７ｂの周縁近傍には、溝１７ｃが形成されており、ここに図３に示すような円管状のカバー１８の下端が嵌合的に取り付けられている。カバー１８の表面は、磨りガラスのような粗し面（拡散構造）となっている。カバー１８の上端は、ベース板１１に当接している。よって、ＬＥＤ１６は、外周面１７ｂとカバー１８とで囲われた環状空間に密閉される。尚、カバー１８の上下面の少なくとも一方にゴム板などの弾性部材を設けると好ましい。
【００３７】
反射構造体１７の内周面１７ａの下端近傍には、半径方向内方に突出した棚部１７ｄが形成されており、ここに円盤状の保護板１９の周囲が支持されている。保護板１９は、基板１２上の回路保護機能を持つ。ＬＥＤ１５は、内周面１７ａと保護板１９とで囲われた円筒状空間に密閉される。なお、保護板１９はＬＥＤ１５の粒状感を和らげるために拡散機能を有していてもよい。
【００３８】
反射構造体１７は、ネジ取り付け孔１７ｅを有する。ネジ取り付け孔１７ｅ内に挿入した木ネジＳＣの先端を、基板１２の孔１２ａとベース板１１の孔１１ｂ（光路偏向手段と基板との当接部に設けた貫通孔）を挿通して、天井面ＣＬにねじ込むことで、照明装置１０が天井面ＣＬに取り付けられる。
【００３９】
反射構造体１７の下面は浅皿状にくぼんでおり、ここに鉄系のプレート２０を接着、又はねじ止めにより固定している。鉄系のプレート２０は、ネジ取り付け孔１７ｅを露出する開口を有するので、プレート２０を取り付けたまま木ネジＳＣを脱着できる。
【００４０】
反射構造体１７の浅皿状にくぼんだ下面にはめ込むようにして、樹脂製の拡散カバー板２１が取り付けられている。拡散カバー板２１の上面には、磁石板２２が接着されており、磁石板２２をプレート２０に吸着させることで、不用意な落下が防止される。この他にも拡散カバーの固定方法として、ツメによる勘合方式や回転方向にスライドして着脱する方式を用いてもよい。
【００４１】
図４は、照明装置１０の一部断面図である。図４を参照して、本実施の形態にかかる照明装置の動作について説明する。ＬＥＤ１５は、比較的色温度が高い光線を出射する。ＬＥＤ１５からの出射光は、最も強度が強い光線（点線で図示）が天井面ＣＬに対し垂直方向に向かうように進行し、拡散板１９及び拡散カバー２１を通過して、照明装置１０の下方を照明する。拡散カバー２１は、ネジ取り付け孔１７ｅを覆っているので、木ネジＳＣが外部から視認されずデザイン的に優れる。
【００４２】
これに対しＬＥＤ１６は、ＬＥＤ１５よりも色温度が低い光線を出射する。ＬＥＤ１６からの出射光は、まず最も強度が強い光線が天井面ＣＬに対し垂直方向に向かうように進行するが、反射構造体１７の外周面１７ｂに反射する。その反射光のうち最も強度が高い光線（点線で図示）と、天井面ＣＬの垂直方向とのなす角度θは、９０度〜１８０度である。
【００４３】
本実施の形態によれば、平板状の基板１２の表面上にＬＥＤ１５，１６を配置しているので、薄い照明装置とできる。又、ＬＥＤ１６から出射され外周面１７ｂで反射した光線のうち最も強度が高い光線と、天井面ＣＬの垂直方向とのなす角度θは、９０度〜１８０度であるので、同じ基板上にＬＥＤ１５，１６を配置しているにもかかわらず、下方への照明と、天井面ＣＬへの照明を両立でき、空間の明るさ感を確保できる。
【００４４】
更に、照明装置１０直下の照明を、ＬＥＤ１５からの比較的色温度が高い白色光を用いることで作業性を高め、同時に天井面ＣＬの照明を、ＬＥＤ１６からの、より色温度が低い光を用いることで癒やし効果を高めることができる。このとき、双方の光が混ざらないように、反射構造体１７を空間分割の仕切りとして用いているので、照明装置１０の構成を簡素化し低コスト化できる。
【００４５】
図５は、本実施の形態の変形例を示す図４と同様な断面図である。図５の変形例では、外周面１７ｂを、傾き角を変えた２つのテーパ面１７ｂ１，１７ｂ２から形成している。これにより、ＬＥＤ１６から出射した光線の一部は、テーパ面１７ｂ１で反射して、その傾き角に応じた方向に進行し、ＬＥＤ１６から出射した光線の別な一部は、テーパ面１７ｂ２で反射して、その傾き角に応じた方向に進行するので、天井面ＣＬの照明を行う際の配光制御の自由度が向上する。
【００４６】
図６は、本実施の形態の変形例を示す図４と同様な断面図である。図６の変形例では、外周面１７ｂを非球面として形成している。これにより、ＬＥＤ１６から出射した光線が、非球面に応じた方向に進行するので、天井面ＣＬの照明を行う際の配光制御の自由度が更に向上する。
【００４７】
図７は、本実施の形態の変形例を示す図４と同様な断面図である。図７の変形例では、外周面１７ｂを非球面とすることに加えて、基板１２上に設けたＬＥＤ１６を、側方出射タイプとしている。これにより、ＬＥＤ１６から照明装置１０の内側に向けて出射した光線は、テーパ面１７ｂで２回反射して、照明装置１０から出射するので、天井面ＣＬの照明を行う際の配光制御の自由度が更に向上する。又、ＬＥＤ１６の粒状感を減少できる。
【産業上の利用可能性】
【００４８】
本発明は、明細書に記載の実施例に限定されるものではなく、他の実施例・変形例を含むことは、本明細書に記載された実施例や思想から本分野の当業者にとって明らかである。例えば照明装置の取付面は天井面に限らず、壁面でも良い。
【符号の説明】
【００４９】
１０            照明装置
１１            ベース板
１１ａ            開口
１１ｂ            孔
１２            基板
１２ａ            孔
１３            端子台
１４            電灯線
１５，１６  ＬＥＤ
１７            反射構造体
１７ａ            内周面
１７ｂ            外周面
１７ｂ１，１７ｂ２    テーパ面
１７ｃ            溝
１７ｄ            棚部
１７ｅ            孔
１８            カバー
１９            保護板
２０            プレート
２１            拡散カバー
２２            磁石板
ＣＬ            天井面
ＣＬａ            開口
ＳＣ            木ネジ
【図１】
2014229534.tif 000003
【図２】
2014229534.tif 000004
【図３】
2014229534.tif 000005
【図４】
2014229534.tif 000006
【図５】
2014229534.tif 000007
【図６】
2014229534.tif 000008
【図７】
2014229534.tif 000009